(57)【要約】【課題】  復水や空気を素早く排出することのできるバイパス弁付フロート式スチームトラップを提供する。【解決手段】  本体１と蓋２からなるトラップケーシングに入口４と、入口４から連通する弁室３と、弁口９を介して弁室３から連通する出口通路８と、出口通路８から連通する出口５とを形成し、弁口９を開閉するフロート１１を弁室３内に自由状態で配置すると共に、弁室３と出口通路８を連通するバイパス通路１２を本体１と蓋２に形成し、バイパス通路１２を開閉するバイパス弁１４を設け、バイパス弁１４に操作部材２７を連結する。バイパス弁１４がバイパス通路１２を開いたときに操作部材２７がフロート１１を駆動して弁口９を開きバイパス弁１４がバイパス通路１２を閉じたときに操作部材２７がフロート１１に干渉しない。【選択図】  図１
2014109362.tif 000002
【特許請求の範囲】
【請求項１】
トラップケーシングに入口と、入口から連通する弁室と、弁口を介して弁室から連通する出口通路と、出口通路から連通する出口とを形成し、弁口を開閉するフロートを弁室内に自由状態で配置すると共に、弁室と出口通路を連通するバイパス通路をトラップケーシングに形成し、バイパス通路を開閉するバイパス弁を設けたものにおいて、バイパス弁に操作部材を連結し、バイパス弁がバイパス通路を開いたときに操作部材がフロートを駆動して弁口を開きバイパス弁がバイパス通路を閉じたときに操作部材がフロートに干渉しないことを特徴とするバイパス弁付フロート式スチームトラップ。
【発明の詳細な説明】
【技術分野】
【０００１】
本発明はフロートを用いて蒸気配管系から復水を自動的に系外へ排出するフロート式スチームトラップにバイパス弁を一体に組合せたバイパス弁付フロート式スチームトラップに関する。この型式のスチームトラップは、一時的に多量の復水が発生した場合や空気障害を生じた場合にバイパス弁を開弁せしめることにより、多量の復水を短時間に排出したり空気障害を解消したりするものである。
【背景技術】
【０００２】
バイパス弁付フロート式スチームトラップは、例えば、特許文献１に示されたものがある。これは、トラップケーシングに入口と、入口から連通する弁室と、弁口を介して弁室から連通する出口通路と、出口通路から連通する出口とを形成し、弁口を開閉するフロートを弁室内に自由状態で配置すると共に、弁室と出口通路を連通するバイパス通路をトラップケーシングに形成し、バイパス通路を開閉するバイパス弁を設けたものである。
【先行技術文献】
【特許文献】
【０００３】
【特許文献１】特公平６−６８３５５号公報
【発明の概要】
【発明が解決しようとする課題】
【０００４】
上記従来のバイパス弁付フロート式スチームトラップは、一時的に多量の復水が発生した場合や空気障害を生じた場合にバイパス弁を開弁せしめることにより、多量の復水を短時間に排出したり空気障害を解消したりするものであるが、バイパス通路から復水や空気を排出するだけであるので、復水や空気の排出に時間が掛かる問題がある。
【０００５】
したがって本発明が解決しようとする課題は、復水や空気を素早く排出することのできるバイパス弁付フロート式スチームトラップを提供することである。
【課題を解決するための手段】
【０００６】
上記の課題を解決するために、本発明のバイパス弁付フロート式スチームトラップは、トラップケーシングに入口と、入口から連通する弁室と、弁口を介して弁室から連通する出口通路と、出口通路から連通する出口とを形成し、弁口を開閉するフロートを弁室内に自由状態で配置すると共に、弁室と出口通路を連通するバイパス通路をトラップケーシングに形成し、バイパス通路を開閉するバイパス弁を設けたものにおいて、バイパス弁に操作部材を連結し、バイパス弁がバイパス通路を開いたときに操作部材がフロートを駆動して弁口を開きバイパス弁がバイパス通路を閉じたときに操作部材がフロートに干渉しないことを特徴とするものである。
【発明の効果】
【０００７】
本発明のバイパス弁付フロート式スチームトラップは、バイパス弁がバイパス通路を開いたときに操作部材がフロートを駆動して弁口を開くものであるので、バイパス通路と弁口から復水や空気を素早く排出することができるという優れた効果を生じる。
【図面の簡単な説明】
【０００８】
【図１】本発明の実施の形態に係わるバイパス弁付フロート式スチームトラップの断面図である。
【発明を実施するための形態】
【０００９】
以下、本発明の実施の形態について、図１を参照して説明する。本体１に蓋２をボルト（図示せず）で締結して内部に弁室３を有するトラップケーシングを形成する。本体１の上部に入口４と、入口４と同一軸上に出口５を形成する。流体中の異物を補足する濾孔を有する円筒形状のスクリーン６を弁室３内に配置する。弁室３の横に隔壁７で隔てて出口５に連通する出口通路８を形成する。隔壁７の下部に弁口９を開口した弁座部材１０をねじ結合し、弁口９を介して弁室３と出口通路８を連通する。弁室３内にステンレス鋼薄板で作った中空の球形フロート１１を自由状態で配置する。フロート１１は弁室３に溜る復水の水位に応じて浮上降下することにより弁口９を開閉し、弁室３に溜る復水を自動的に排出する。
【００１０】
弁室３と出口通路８を連通するバイパス通路１２を本体１の上部から蓋２を通して形成する。バイパス通路１２を開閉するニードル弁からなるバイパス弁１４を回動自在に配置する。蓋２にバイパス弁１４のねじ部がねじ結合可能なねじ孔を有する保持部材１５をねじ結合する。保持部材１５のねじ孔の後方部位に保持部材１５の内周面とバイパス弁１４の外周面との間に環状のシール部材１６を配置し、保持部材１５に押圧部材１７をねじ結合してシール部材１６を押圧することにより保持部材１５とバイパス弁１４の間を水密状態に保つ。バイパス通路１２の途中に弁室３を連通させる排気通路２０を蓋２に形成する。排気通路２０に排気弁口２２を開口した排気弁座２３を保持ガイド２４を間に挟んでねじ結合し、排気弁口２２を介して弁室３と排気通路２０を連通する。保持ガイド２４に係止するバネ２５で温度応動弁２６を保持ガイド２４に係止する。温度応動弁２６はほぼ円板状の密閉体カプセルで図示はしていないが内部に薄板ダイヤフラムと熱膨張収縮液を充填して形成する。バイパス弁１４に棒状の操作部材２７の上端を溶接により連結する。バイパス弁１４は回動により上下動してバイパス通路１２の弁室３側端を開いたときに操作部材２７の下端の屈曲部がフロート１１を駆動して弁口９を開きバイパス通路１２の弁室３側端を閉じたときに操作部材２７がフロート１１に干渉しなくなる。
【００１１】
上記実施の形態の作動を説明する。通常は、バイパス弁１４を回動してバイパス通路１２の弁室３側端を閉じると共に操作部材２７がフロート１１に干渉しない位置で使用する。弁室３に溜る復水の水位に応じてフロート１１が浮上降下して弁口９を開閉し、弁室３に溜る復水を弁口９から出口通路８を通して出口５に自動的に排出する。また、弁室３の温度に応じて温度応動弁２６が排気弁口２２を開閉し、弁室３に溜る空気を排気弁口２２から排気通路２０、バイパス通路１２、出口通路８を通して出口５に自動的に排出する。
【００１２】
そして、一時的に多量に発生した復水を短時間に排出する場合や温度応動弁２６が開弁できなくなった場合は、バイパス弁１４を回動してバイパス通路１２の弁室３側端を開くと共に操作部材２７でフロート１１を駆動して弁口９を開き、多量の復水を短時間に排出したり空気障害を解消したりする。
【産業上の利用可能性】
【００１３】
本発明は、フロートを用いて蒸気配管系から復水を自動的に系外へ排出するフロート式スチームトラップにバイパス弁を一体に組合せたバイパス弁付フロート式スチームトラップに利用することができる。
【符号の説明】
【００１４】
１  本体
２  蓋
３  弁室
４  入口
５  出口
６  スクリーン
８  出口通路
９  弁口
１１  フロート
１２  バイパス通路
１４  バイパス弁
２０  排気通路
２６  温度応動弁
２７  操作部材
【図１】
2014109362.tif 000003